(57)【要約】【課題】肘掛が不用意に回転するのを確実に防ぐとともに、クリーンな環境を維持する。【解決手段】肘掛装置は、上面に肘当て面を有した肘掛アームと、肘掛アームを横方向に回動自在に支持する支持軸と、肘掛アームの支持軸周りの回動を拘束可能なロック部５０と、ロック部５０による肘掛アームの拘束・非拘束を切替操作する操作部６０と、を備え、操作部６０は、肘掛アームの下面から下方に突出し、ロック部５０に連結された基部６６と、基部６６から肘掛アーム幅方向一方の側に向けて延出した操作レバー部６７と、を備えている。【選択図】図１５
2015080568.tif 000002
【特許請求の範囲】
【請求項１】
上面に肘当て面を有した肘掛アームと、
前記肘掛アームを横方向に回動自在に支持する支持軸と、
前記肘掛アームの前記支持軸周りの回動を拘束可能なロック部と、
前記ロック部による前記肘掛アームの拘束・非拘束を切替操作する操作部と、を備え、
前記操作部は、
前記肘掛アームの下面から下方に突出し、前記ロック部に連結された基部と、
前記基部から前記肘掛アームの幅方向一方の側に向けて延出した操作レバー部と、を備えていることを特徴とする肘掛装置。
【請求項２】
前記操作部は、前記基部から前記幅方向他方の側に向けて延出した他の操作レバー部をさらに備えていることを特徴とする請求項１に記載の肘掛装置。
【請求項３】
前記操作レバー部の先端部は、前記他の操作レバー部の先端部よりも、前記肘掛アームの幅方向中心から離間した位置にあることを特徴とする請求項２に記載の肘掛装置。
【請求項４】
前記操作部は、前記肘掛アームの幅方向の他方の側を中心として上下方向に回動することによって、前記ロック部による前記肘掛アームの拘束・非拘束を切り替えることを特徴とする請求項１から３のいずれか一項に記載の肘掛装置。
【請求項５】
前記操作レバー部は、上面が、水平、または前記基部から前記操作レバー部の先端部に向けて漸次下方に傾斜していることを特徴とする請求項１から４のいずれか一項に記載の肘掛装置。
【請求項６】
請求項１から５のいずれか一項に記載の肘掛装置と、
使用者が着座する座面を有したチェア本体と、
を備えることを特徴とするチェア装置。
【請求項７】
前記肘掛装置は、前記肘掛アームの幅方向他方の側を前記チェア本体に向けて設けられていることを特徴とする請求項６に記載のチェア装置。
【発明の詳細な説明】
【技術分野】
【０００１】
本発明は、回動可能な肘掛アームを備えた肘掛装置およびチェア装置に関する。
【背景技術】
【０００２】
例えば医療や介護等に用いられるチェアやベッドにおいて、患者が様々な姿勢を取ることができるように、座面や背もたれが様々な角度に調整可能なものがある（例えば特許文献１参照。）。
透析等の医療行為は長時間にわたる可能性があるが、患者にとって、長時間同じ姿勢をとり続けるのは負担となる。そこで、上記したようなチェアやベッドにおいては、座面や背もたれ等の角度を変化させることによって、患者の姿勢を変え、患者の負担を軽減することができる。
【０００３】
ところで、透析を行う場合、患者の腕の血管に透析用の針を刺しておく必要がある。透析は、数時間にわたって行われる。このため、患者にとって、腕を長時間の間動かすことができないのは、血行が悪くなる等して、負担となる。
そこで、チェアやベッドに患者の腕を載せる肘掛アームを設け、この肘掛アームを可動させることによって、患者の腕の角度を変えることができるようにするのが好ましい。
【０００４】
肘掛アームを可動させる機構としては様々な提案がなされている。
例えば、特許文献２には、肘掛アームを水平旋回可能に設けた構成が開示されている
この肘掛アームは、外周面に複数のカム溝を有したカムと、肘掛アームとともに回動してカムのカム溝に係合可能な係合子と、係合子をカム側に押圧するバネとを備えている。これにより、肘掛アームを水平旋回させると、バネによってカム側に押圧されたままの係合子が、カム溝を乗り越えることによって、肘掛アームの角度が水平方向に変わるようになっている。
【０００５】
特許文献３には、肘掛アームを縦方向に旋回可能とした構成が開示されている。この肘掛アームは、肘掛アームを回動自在とするシャフトに設けられたロック歯車と、ロック歯車に噛み合ってロック歯車の回動を規制するロック部材と、ロック部材を操作してロック歯車への噛み合いを解除するピンを備えた操作部材と、を備えている。これにより、操作部材を操作してピンによりロック部材のロック歯車への噛み合いを解除すると、肘掛アームの角度が縦方向に変わるようになっている。なお、操作部材の先端部の操作部分は、肘掛アームの外側に露出するよう設けられている。
【先行技術文献】
【特許文献】
【０００６】
【特許文献１】特開２０１３−９６９６号公報
【特許文献２】特許第４５８３０２４号公報
【特許文献３】実公昭６４−１２７号公報
【発明の概要】
【発明が解決しようとする課題】
【０００７】
しかしながら、特許文献２に記載の構成においては、肘掛アームに外力が加わったときに、係合子がカム溝を乗り越えて肘掛アームが不用意に回転しまうことがある。透析等、医療行為中に、肘掛アームが不用意に回転するのは、当然ながら好ましくない。
【０００８】
また、特許文献３に記載の構成においては、操作部材を操作することによって、肘掛アームが回動可能となるので、肘掛アームの不用意な回転は防止できる。しかし、操作部材の操作部分は、肘掛アームの外側の側面に露出するよう設けられている。このため操作部材の操作部分に誤って触れた場合には、肘掛アームが不用意に回転してしまう。
また、透析等の医療行為の際に、患者の体液や、その他の薬液等が肘掛アーム上に垂れ落ちることがある。そのような場合に、肘掛アームの側面にアームの操作部分が露出していると、アームの操作部分の周囲から肘掛アームの内部に体液や薬液等が入り込んでしまう可能性がある。その結果、クリーンな環境が損なわれることがある。
【０００９】
そこでなされた本発明の目的は、肘掛アームが不用意に回転するのを確実に防ぐとともに、クリーンな環境を維持することのできる肘掛装置およびチェア装置を提供することである。
【課題を解決するための手段】
【００１０】
本発明は、上記課題を解決するため、以下の手段を採用する。
すなわち、本発明の肘掛装置は、上面に肘当て面を有した肘掛アームと、前記肘掛アームを横方向に回動自在に支持する支持軸と、前記肘掛アームの前記支持軸周りの回動を拘束可能なロック部と、前記ロック部による前記肘掛アームの拘束・非拘束を切替操作する操作部と、を備え、前記操作部は、前記肘掛アームの下面から下方に突出し、前記ロック部に連結された基部と、前記基部から前記肘掛アームの幅方向一方の側に向けて延出した操作レバー部と、を備えていることを特徴とする。
【００１１】
このような構成によれば、ロック部によって肘掛アームが拘束されていると、操作部を操作しない限り、肘掛アームの支持軸周りの角度が固定される。そして、操作部を操作することによってロック部による肘掛アームの拘束が解除されると、肘掛アームが支持軸周りに回動可能となり、肘掛アームの角度を調節することができる。
ロック部の切替操作を行う操作部は、肘掛アームの下面から下方に突出した基部から操作レバー部が延出するよう設けられている。これにより、肘掛アームから液体が流れ落ちた場合、操作レバー部のみに液体が付着し、基部をはじめとする他の部分に液体が付着したり侵入するのを防ぐことができる。さらに、操作レバー部に液体が付着した場合にも、操作レバー部が肘掛アームの下方に突出しているので、清掃がしやすい。
また、肘掛アームの下面から下方に操作部があるため、操作部に誤って触れることで肘掛アームが不用意に回転してしまうのを防ぐことができる。
【００１２】
また、前記操作部は、前記基部から前記幅方向他方の側に向けて延出した他の操作レバー部をさらに備えているようにしてもよい。
このような構成によれば、肘掛アームの一方の側から操作する場合には操作レバー部を操作し、他方の側から操作する場合には他の操作レバー部を操作すれば良い。これにより、肘掛アームの幅方向両側からロック部の切替操作を行うことができる。
【００１３】
さらに、前記操作レバー部の先端部は、前記他の操作レバー部の先端部よりも、前記肘掛アームの幅方向中心から離間した位置にあるようにしてもよい。
このような構成によれば、操作レバー部の方が、他の操作レバー部よりも、先端部が、肘掛アームの幅方向中心から離間した位置、つまり肘掛アームの幅方向の端部に近い位置にある。これにより、一方の側からは操作レバー部により容易に操作が行え、他方の側からは他の操作レバー部を、一方の側の操作レバー部よりも、操作しにくくなっている。したがって、一方の側からは操作レバー部を確実に操作でき、他方の側からは他の操作レバー部が不用意に誤操作されるのを防ぐことができる。
【００１４】
さらに、前記操作部は、前記肘掛アームの幅方向の他方の側を中心として上下方向に回動することによって、前記ロック部による前記肘掛アームの拘束・非拘束を切り替えるようにしてもよい。
このような構成によれば、肘掛アームの幅方向一方の側に延出した操作レバー部は、他方の側の回動中心から離れている。したがって、モーメントが大きく、軽い操作力で操作レバー部を操作することができる。
これに対し、他方の側に他の操作レバー部を備える場合、他のレバー部は操作レバー部よりも回動中心に近い。したがって、モーメントが小さく、操作レバー部を操作する場合よりも大きな操作力で操作する必要がある。
【００１５】
また、前記操作レバー部は、上面が、水平、または前記基部から前記操作レバー部の先端部に向けて漸次下方に傾斜しているようにしてもよい。
このような構成によれば、肘掛アームから液体が流れ落ちた場合、操作レバー部の上面に付着した液体が、先端部側に容易に流れ落ちる。
【００１６】
本発明のチェア装置は、上記したような肘掛装置と、使用者が着座する座面を有したチェア本体と、を備えることを特徴とする。
このような構成によれば、肘掛装置は、操作部を操作しない限り、肘掛アームの支持軸周りの角度が固定されている。
また、チェア本体に着座した使用者の体液等の液体が肘掛アームから流れ落ちても、操作レバー部のみに液体が付着し、基部をはじめとする他の部分に液体が付着したり侵入するのを防ぐことができる。
【００１７】
また、前記肘掛装置は、前記肘掛アームの幅方向他方の側を前記チェア本体に向けて設けられているようにしてもよい。
このような構成によれば、操作レバー部は、チェア本体とは反対側に延出することとなる。これにより、チェア本体に着座した使用者からは操作レバー部を操作しにくく、他のスタッフ等は、チェア装置の外側から操作レバー部を容易に操作することができる。したがって、使用者の誤操作によって肘掛アームが不用意に回動するのを防ぐことができる。
【発明の効果】
【００１８】
本発明によれば、肘掛が不用意に回転するのを確実に防ぐとともに、クリーンな環境を維持することができる。
【図面の簡単な説明】
【００１９】
【図１】本実施形態におけるチェアベッドの概略構成を示す側面図である。
【図２】図１のチェアベッドの姿勢を異ならせた使用状態の一例を示す側面図である。
【図３】肘掛装置を斜め上方から見た斜視図である。
【図４】肘掛装置の側面図である。
【図５】肘掛装置を斜め下方から見た斜視図である。
【図６】肘掛装置を構成する部品の位置関係を示す図であり、（ａ）は肘掛装置の下面図、（ｂ）は肘掛装置の側断面図である。
【図７】ベース部材を構成するメインフレームの一部を斜め上方から見た斜視図である。
【図８】ジョイント部材を示す図であり、（ａ）は平面図、（ｂ）は（ａ）のＸ−Ｘ矢視断面図である。
【図９】メインフレームの構成を示す図であって、（ａ）は平面図、（ｂ）は側断面図である。
【図１０】肘掛アームのベース部材の側面図である。
【図１１】操作部材のベースプレートの構成を示す三面図であり、（ａ）は平面図、（ｂ）は正面図、（ｃ）は側面図である。
【図１２】ロック部、操作部の構成を示す斜視図である。
【図１３】ロック部、操作部の構成を図１２とは異なる角度から見た斜視図である。
【図１４】ロック部、操作部の構成を図１２、図１３とは異なる角度から見た斜視図である。
【図１５】（ａ）はベース部材の係合ピンの中心軸に沿った断面図、（ｂ）は操作部材を操作して係合ピンを係合凹部から離脱させた状態を示す断面図である。
【図１６】係合ピンと係合凹部の係合状態を示す断面図である。
【発明を実施するための形態】
【００２０】
以下、添付図面を参照して、本発明による肘掛装置およびチェア装置を実施するための形態を説明する。
図１は、本実施形態におけるチェアベッドの概略構成を示す側面図である。図２は、図１のチェアベッドの姿勢を異ならせた使用状態の一例を示す側面図である。
【００２１】
（チェアベッド）
図１、図２に示すように、チェアベッド（チェア装置）１は、例えば透析用に用いられるものであり、チェア本体１０と、肘掛装置Ａと、を備えている。
【００２２】
（チェア本体）
チェア本体１０は、床面上に設置される不図示のベースフレームに、座部１２、背もたれ１３、大腿受け部１４、下腿受け部１５及びフットレスト１６が設けられている。座部１２、背もたれ１３、大腿受け部１４、下腿受け部１５及びフットレスト１６は、各々クッションを内蔵したレザー張りからなる。背もたれ１３の一端側には面ファスナによってヘッドレスト１７が脱着かつ上下動可能に設けられている。
【００２３】
座部１２と背もたれ１３、座部１２と大腿受け部１４、大腿受け部１４と下腿受け部１５、下腿受け部１５とフットレスト１６は、それぞれ、不図示の蝶番によって回動自在に連結されている。これにより、チェアベッド１は、図１に示す状態や、図２に示す状態をはじめとして、様々な使用形態とすることができる。図１に示す状態は、座部１２をほぼ水平とし、背もたれ１３を起こし、下腿受け部１５およびフットレスト１６を下方に下げることにより、チェア本体１０は椅子状をなしている。図２に示す状態は、座部１２、背もたれ１３、大腿受け部１４、下腿受け部１５及びフットレスト１６をほぼ水平にし、チェア本体１０はベッド状をなしている。
これにより、チェア本体１０に着座した使用者の姿勢を、着座状態から横臥状態まで、様々な姿勢に変化させることができる。
【００２４】
また、このチェアベッド１には、座部１２、大腿受け部１４及び下腿受け部１５の下方両側に側壁１８Ａ、１８Ｂが設けられている。
【００２５】
側壁１８Ａ，１８Ｂには、それぞれ肘掛ブラケット１９が設けられている。そして、この肘掛ブラケット１９に、肘掛装置Ａが設けられている。
これにより、座部１２および背もたれ１３の幅方向両側に肘掛装置Ａ，Ａが設けられている。
【００２６】
（肘掛装置）
図３は、肘掛装置Ａを斜め上方から見た斜視図である。図４は、肘掛装置Ａの側面図である。図５は、肘掛装置Ａを斜め下方から見た斜視図である。図６は、肘掛装置Ａを構成する部品の位置関係を示す図であり、（ａ）は肘掛装置Ａの下面図、（ｂ）は肘掛装置Ａの側断面図である。
図３〜図６に示すように、肘掛装置Ａは、上面に肘当て面２０ｆを有した肘掛アーム２０と、肘掛アーム２０を横方向に回動自在に支持する支持軸３３と、肘掛アーム２０の支持軸３３周りの回動を拘束可能なロック部５０と、ロック部５０による肘掛アーム２０の拘束・非拘束を切替操作する操作部６０と、を備えている。
【００２７】
（肘掛アーム）
肘掛アーム２０は、ベース部材２１と、ベース部材２１のメインフレーム４０上に設けられた肘掛パッド２２と、を備えている。
肘掛パッド２２は、メインフレーム４０を覆うように設けられている。肘掛パッド２２は、クッションを内蔵し、レザー等の表皮材によって覆われている。肘掛パッド２２の上面が、肘掛アーム２０の肘当て面２０ｆを形成している。
【００２８】
図７は、ベース部材を構成するメインフレームの一部を斜め上方から見た斜視図である。図８は、ジョイント部材を示す図であり、（ａ）は平面図、（ｂ）は（ａ）のＸ−Ｘ矢視断面図である。
図７に示すように、ベース部材２１は、ジョイント部材３０と、メインフレーム４０と、を備えている。
【００２９】
（ジョイント部材）
図８（ａ），（ｂ）に示すように、ジョイント部材３０は、肘掛ブラケット１９に連結されたアーム部３１と、ベースプレート３２と、支持軸３３と、が一体に形成されている。
【００３０】
図６（ｂ）に示すように、アーム部３１は、その基端部３１ａが、肘掛ブラケット１９に支持シャフト３４を介して水平軸周りに回動可能に連結されている。これにより、ジョイント部材３０は、鉛直面内で回動可能とされている。
【００３１】
ベースプレート３２は、アーム部３１の先端部３１ｂに一体に設けられている。ベースプレート３２は、平板状で、支持シャフト３４の中心軸方向に平行に配設されている。
図８（ａ），（ｂ）に示すように、ベースプレート３２は、アーム部３１の先端部３１ｂから、基端部３１ａとは反対側に延出するよう設けられている。ベースプレート３２は、アーム部３１の先端部３１ｂに連結された基端部３２ａと、その反対側の先端部３２ｂとの間に拡幅部３２ｃが形成されている。これにより、ベースプレート３２は、基端部３２ａに対し、拡幅部３２ｃよりも先端部３２ｂ側が、幅広に形成されている。
【００３２】
ベースプレート３２の上面３２ｆの中央部には、支持軸３３が一体に設けられている。支持軸３３は、ベースプレート３２の上面３２ｆ側から、台座部３３ａ、軸部３３ｂ、雄ネジ部３３ｃが順次形成されている。
台座部３３ａは、ベースプレート３２の上面３２ｆに形成された凹部３５内に収められている。台座部３３ａは、円盤状で、その上面３３ｆがベースプレート３２の上面３２ｆよりも突出するよう、その厚さが設定されている。
軸部３３ｂは、台座部３３ａからベースプレート３２の上面３２ｆに直交する方向に延びるよう設けられている。軸部３３ｂは、円柱状で、その外径が台座部３３ａよりも小さく形成されている。
雄ネジ部３３ｃは、軸部３３ｂの先端から突出形成され、その外周面に不図示のネジ溝が形成されている。
【００３３】
ベースプレート３２の先端部３２ｂには、その上面３２ｆに、複数の係合凹部３６が形成されている。係合凹部３６は、本実施形態において、例えば３個が形成されている。これら複数の係合凹部３６は、支持軸３３の軸部３３ｂの中心Ｃから同心円状に、円弧方向に間隔をあけて形成されている。
【００３４】
（メインフレーム）
図９は、メインフレーム４０の構成を示す図であって、（ａ）は平面図、（ｂ）は側断面図である。図１０は、肘掛アーム２０のベース部材２１の側面図である。
図７、図９、図１０に示すように、メインフレーム４０は、上部プレート４１と、下部プレート４２と、上部プレート４１と下部プレート４２とを連結する連結部４３と、を備えている。
【００３５】
上部プレート４１は、平板状をなしている。これに対し、下部プレート４２は、中間部４２ｂにおいて屈曲している。これにより、下部プレート４２は、中間部４２ｂよりも基端部４２ａ側の第一平板部４２Ｐが上部プレート４１の下方に間隔をあけて上部プレート４１と平行に設けられている。そして、下部プレート４２は、中間部４２ｂよりも先端部４２ｃ側の第二平板部４２Ｑが、先端部４２ｃにいくにしたがい上部プレート４１側に漸次接近している。下部プレート４２は、先端部４２ｃが、上部プレート４１の先端部４１ａよりも前方かつ上方に突出している。上部プレート４１の先端部４１ａは、下部プレート４２の第二平板部４２Ｑに突き当たるように設けられている。
連結部４３は、上部プレート４１および下部プレート４２の幅方向両側において、上部プレート４１と下部プレート４２とを一体に接続している。
【００３６】
図９に示すように、下部プレート４２の基端部４２ａ側には、円柱状のボス４５が、上部プレート４１側に向けて突出するよう一体に設けられている。上部プレート４１には、基端部側に貫通孔４１ｈが形成されている。ボス４５はこの貫通孔４１ｈを貫通して、上部プレート４１から上方に突出するよう設けられている。また、下部プレート４２には、ボス４５の孔４５ｈに連通するように、貫通孔４２ｇが形成されている。
ここで、下部プレート４２に形成された貫通孔４２ｇおよびボス４５の孔４５ｈの内径は、支持軸３３の軸部３３ｂの外径よりわずかに大きく、台座部３３ａの外径よりも小さく設定されている。
【００３７】
図６（ｂ）に示すように、これら貫通孔４２ｇおよびボス４５内に対し、支持軸３３の軸部３３ｂが下方から上方に向けて挿入されている。そして、支持軸３３の台座部３３ａの上面が、下部プレート４２の第一平板部４２Ｐの下面に突き当たる。この状態で、図７、図１０に示すように、支持軸３３の雄ネジ部３３ｃが、ボス４５よりも上方に突出するようになっている。この雄ネジ部３３ｃにナット３９が締結されている。
これにより、メインフレーム４０は、支持軸３３の軸部３３ｂ周りに回動自在に支持されている。このようにして、肘掛アーム２０が、支持軸３３の中心軸周り、つまり横方向に回動自在に支持されている。
【００３８】
図６（ａ）に示すように、メインフレーム４０において、ボス４５は、上部プレート４１および下部プレート４２の幅方向中心Ｃｗよりも、幅方向一方の側Ｓ１にオフセットして設けられている。そして、上部プレート４１および下部プレート４２には、ボス４５がオフセットした側Ｓ１とは反対の他方の側Ｓ２側に、逃げ凹部４６が形成されている。この逃げ凹部４６により、肘掛装置Ａを引き起こしたときに、肘掛装置Ａが背もたれ１３（図１、図２参照）等に干渉しないようになっている。
【００３９】
また、図９（ｂ）に示すように、下部プレート４２の第一平板部４２Ｐと、上部プレート４１とには、互いに上下に対向する位置に、貫通孔４７Ａ，４７Ｂが同軸上に形成されている。
さらに、上部プレート４１の上面には、貫通孔４７Ａを覆う位置に、断面ハット型のガイド金具４８が一体に設けられている。図９（ａ）、（ｂ）に示すように、ガイド金具４８は、上部プレート４１の表面に接合された両端のプレート部４８ａ，４８ａと、プレート部４８ａ，４８ａに直交して立ち上がる立ち上がり部４８ｂ，４８ｂと、立ち上がり部４８ｂ，４８ｂ間に架け渡されたトッププレート部４８ｃと、が一体に形成されている。トッププレート部４８ｃは、上部プレート４１よりも上方に離間して上部プレート４１と平行に形成されている。
トッププレート部４８ｃには、貫通孔４７Ａと同軸上に、ガイド孔４８ｈが形成されている。
【００４０】
また、下部プレート４２の第一平板部４２Ｐには、貫通孔４７Ａに対して中間部４２ｂ側に、矩形状の開口部４９が形成されている。
【００４１】
上部プレート４１および下部プレート４２に形成された前記の貫通孔４７Ａ，４７Ｂ、ガイド金具４８のガイド孔４８ｈは、ボス４５の中心Ｃｂからの径方向距離が、図８に示したジョイント部材３０における支持軸３３の軸部３３ｂの中心Ｃから複数の係合凹部３６までの寸法と同一とされている。
これにより、メインフレーム４０をジョイント部材３０に取り付けた状態で、メインフレーム４０を支持軸３３回りに回動させると、ジョイント部材３０の複数の係合凹部３６が、メインフレーム４０側の貫通孔４７Ａ，４７Ｂ、ガイド孔４８ｈに連通する。
【００４２】
（ロック部、操作部）
図１１は、操作部材６１のベースプレート６２の構成を示す三面図であり、（ａ）は平面図、（ｂ）は正面図、（ｃ）は側面図である。図１２は、ロック部５０、操作部６０の構成を示す斜視図である。図１３は、ロック部５０、操作部６０の構成を図１２とは異なる角度から見た斜視図である。図１４は、ロック部５０、操作部６０の構成を図１２、図１３とは異なる角度から見た斜視図である。
下部プレート４２に形成された開口部４９の部分には、操作部６０を構成する操作部材６１が設けられている。
図１１〜図１４に示すように、操作部材６１は、ベースプレート６２と、係合ピン６３と、ヒンジバネ６４と、レバー部材６５と、を備えている。
【００４３】
ベースプレート６２は、例えば金属板がプレス加工されて形成されている。ベースプレート６２は、レバー部材６５が固定されるレバー固定部６２ａと、係合ピン６３が固定されるピン固定部６２ｂと、ピン固定部６２ｂから側方に延出してヒンジバネ６４が固定されるバネ固定部６２ｃと、を一体に備えている。
【００４４】
レバー固定部６２ａは、平板状で、その下面側に後述するレバー部材６５の基部６６が不図示のビス等により固定される。
【００４５】
ピン固定部６２ｂは、レバー固定部６２ａから一方の側に連続するよう延出して形成されている。そして、ピン固定部６２ｂにおいて、レバー固定部６２ａから離間した先端部に、円環状のカラー６３ｃを介して、係合ピン６３が固定されている。係合ピン６３は、ピン固定部６２ｂの上下にそれぞれ所定長突出するよう設けられている。
【００４６】
バネ固定部６２ｃは、ピン固定部６２ｂに連続して形成されている。バネ固定部６２ｃは、ピン固定部６２ｂにおいて、レバー固定部６２ａ側の基部と、係合ピン６３が設けられた先端部とを結ぶ方向に対し、直交する方向に延出して形成されている。さらに、このバネ固定部６２ｃは、レバー固定部６２ａおよびピン固定部６２ｂに対し、斜め上方に向けて傾斜して形成されている。
【００４７】
ヒンジバネ６４は、第一プレート部６４ａと第二プレート部６４ｂとが、それぞれの一端側の連結部６４ｃで一体に接合されている。第一プレート部６４ａと第二プレート部６４ｂは、連結部６４ｃからＶ字状に拡開している。このヒンジバネ６４は、第一プレート部６４ａと第二プレート部６４ｂとが、連結部６４ｃを中心として回動するように弾性変形可能とされている。
ヒンジバネ６４は、連結部６４ｃをバネ固定部６２ｃの先端部側に向けた状態で、第一プレート部６４ａがバネ固定部６２ｃの先端部に不図示のビスや溶接等により接合されている。
【００４８】
図１２〜図１４に示すように、レバー部材６５は、レバー固定部６２ａの下面に固定されている。レバー部材６５は、レバー固定部６２ａの下面から下方に突出した基部６６と、基部６６から一方の側に向けて延出した第一操作レバー部（操作レバー部）６７と、基部６６から他方の側に向けて延出した第二操作レバー部（操作レバー部）６８と、を備えている。
【００４９】
第一操作レバー部６７，第二操作レバー部６８は、基部６６の下端部に連続し、それぞれ斜め下方に延出するよう設けられている。そして、第一操作レバー部６７，第二操作レバー部６８は、その上面６７ｆ，６８ｆが、水平、または基部６６から第一操作レバー部６７，第二操作レバー部６８の先端部６７ａ，６８ａに向けて漸次下方に傾斜するよう形成されている。
【００５０】
図１５（ａ）はベース部材２１の係合ピン６３の中心軸に沿った断面図、（ｂ）は操作部材を操作して係合ピン６３を係合凹部３６から離脱させた状態を示す断面図である。図１６は、係合ピン６３と係合凹部３６の係合状態を示す断面図である。
図１５に示すように、操作部材６１は、ヒンジバネ６４の第二プレート部６４ｂが、メインフレーム４０の上部プレート４１の下面に、不図示のビスや溶接等によって固定されている。これにより、操作部材６１は、ヒンジバネ６４の第一プレート部６４ａと第二プレート部６４ｂとが開閉するようにして弾性変形することによって、ヒンジバネ６４の連結部６４ｃを中心とした軸周りに回動し、上下方向に操作される。
【００５１】
ここで、操作部材６１は、第一操作レバー部６７が、肘掛アーム２０の幅方向一方の側Ｓ１に配置され、第二操作レバー部６８が肘掛アーム２０の幅方向他方の側Ｓ２を向くよう設けられている。そして、第一操作レバー部６７の先端部６７ａは、第二操作レバー部６８の先端部６７ａよりも、肘掛アーム２０の幅方向中心Ｃｗから離間した位置に配設されている。
また、ヒンジバネ６４は、幅方向中心Ｃｗに対し、第二操作レバー部６８と同じ側の、肘掛アーム２０の幅方向他方の側Ｓ２にオフセットして設けられている。
さらに、肘掛アーム２０は、第一操作レバー部６７が設けられている肘掛アーム２０の幅方向一方の側Ｓ１が座部１２とは反対側の、チェアベッド１の幅方向外側を向き、第二操作レバー部６８が設けられている他方の側Ｓ２が座部１２側を向くように設けられている。
【００５２】
ここで、図４、図５に示すように、操作部材６１は、第一操作レバー部６７，第二操作レバー部６８が開口部４９からメインフレーム４０、すなわち肘掛アーム２０から下方に向けて突出するよう設けられている。
【００５３】
また、図１５、図１６に示すように、操作部材６１の係合ピン６３は、その上端部６３ｔがメインフレーム４０の上部プレート４１に設けられた貫通孔４７Ａおよびガイド孔４８ｈに上下方向に移動可能に挿通され、下端部６３ｂが下部プレート４２に設けられた貫通孔４７Ｂに挿通されている。
さらに、貫通孔４７ｂから下方に向けて貫通した係合ピン６３の下端部６３ｂは、ベースプレート３２に形成された複数の係合凹部３６に選択的に挿入できるようになっている。
【００５４】
さらに、図１５（ａ）に示すように、係合ピン６３の外周側には、コイルスプリング６９が、カラー６３ｃとガイド金具４８のトッププレート部４８ｃとの間に、圧縮状態で介装されている。これにより、係合ピン６３が下方に押圧され、下端部６３ｂが係合凹部３６に係合した状態が維持される。
【００５５】
そして、図１５（ｂ）に示すように、操作部材６１の第一操作レバー部６７または第二操作レバー部６８を上昇させる方向に押圧すると、操作部材６１は、ヒンジバネ６４の連結部６４ｃを中心として揺動する。すると、係合ピン６３が上下動し、係合凹部３６から離脱する。
【００５６】
これら係合ピン６３と、複数の係合凹部３６とから、肘掛アーム２０の支持軸３３周りの回動を拘束可能なロック部５０が構成されている。
すなわち、係合ピン６３の下端部６３ｂが複数の係合凹部３６のいずれかに挿入嵌合されていることにより、肘掛アーム２０の回動が拘束される。そして、コイルスプリング６９によって操作部材６１が下方に押圧されているので、操作部材６１を上方に向けて操作しない限り、係合ピン６３と係合凹部３６との係合状態が維持され、肘掛アーム２０の支持軸３３周りの角度が固定される。
また、操作部材６１を上方に向けて操作し、係合ピン６３の下端部６３ａが複数の係合凹部３６のいずれかから離脱すると、ロック部５０による肘掛アーム２０の拘束が解除される。すると、肘掛アーム２０が支持軸３３周りに回動可能となり、肘掛アーム２０の角度を調節することができる。
【００５７】
このように、操作部６０の操作部材６１は、肘掛アーム２０の幅方向の他方の側Ｓ２に配置されたヒンジバネ６４の連結部６４ｃを中心として上下方向に回動することによって、ロック部５０による肘掛アーム２０の拘束・非拘束を切り替える。
そして、ロック部５０による肘掛アーム２０を非拘束とした状態で、肘掛アーム２０を横方向に回動させて、その角度を調整することができる。
【００５８】
上述した肘掛装置Ａ、チェア装置１によれば、ロック部５０によって肘掛アーム２０が拘束されていると、操作部６０を操作しない限り、肘掛アーム２０の支持軸３３周りの角度が固定される。これにより、肘掛アーム２０が不用意に回転するのを確実に防ぐことができる。
また、肘掛アーム２０の下面から下方に操作部６０がある。このため、操作部６０に誤って触れることで肘掛アーム２０が不用意に回転してしまうのを防ぐことができる。
そして、操作部６０を操作することによってロック部５０による肘掛アーム２０の拘束が解除されると、肘掛アーム２０が支持軸３３周りに回動可能となり、肘掛アーム２０の角度を調節することができる。
また、ロック部５０の切替操作を行う操作部６０は、肘掛アーム２０の下面から下方に突出した基部６６から第一操作レバー部６７、第二操作レバー部６８が延出するよう設けられている。これにより、肘掛アーム２０から血液等の液体が流れ落ちた場合、第一操作レバー部６７、第二操作レバー部６８のみに液体が付着し、基部６６をはじめとする他の部分に液体が付着したり侵入するのを防ぐことができる。しかも、第一操作レバー部６７、第二操作レバー部６８は肘掛アーム２０の下方に露出しているために、付着した液体を容易に清掃することができる。さらに、第一操作レバー部６７、第二操作レバー部６８に液体が付着した場合にも、第一操作レバー部６７、第二操作レバー部６８が肘掛アーム２０の下方に突出しているので、清掃がしやすい。このようにして、肘掛装置Ａおよびチェアベッド１において、クリーンな環境を維持することができる。
【００５９】
また、操作部６０は、基部６６から幅方向一方の側Ｓ１に向けて延出した第一操作レバー部６７と、他方の側Ｓ２に向けて延出した第二操作レバー部６８とが設けられている。
このような構成によれば、肘掛アーム２０の一方の側Ｓ１から操作する場合には第一操作レバー部６７を操作し、他方の側Ｓ２から操作する場合には第二操作レバー部６８を操作することができる。これにより、肘掛アーム２０の幅方向両側からロック部５０の切替操作を行うことができる。
【００６０】
さらに、第一操作レバー部６７の先端部６７ａは、第二操作レバー部６８の先端部６８ａよりも、肘掛アーム２０の幅方向中心Ｃｗから離間した位置にある。
これにより、第一操作レバー部６７の方が、第二操作レバー部６８よりも、先端部２７ａが、肘掛アーム２０の幅方向中心Ｃｗから離間した位置、つまり肘掛アーム２０の幅方向の端部に近い位置にある。これにより、一方の側Ｓ１からは第一操作レバー部６７により容易に認識および操作が行え、他方の側Ｓ２からは第二操作レバー部６８を、一方の側の第一操作レバー部６７よりも、認識および操作がしにくくなっている。
【００６１】
しかも、肘掛装置Ａは、第二操作レバー部６８が設けられた肘掛アーム２０の幅方向他方の側Ｓ２をチェア本体１０に向けて設けられている。
このような構成によれば、肘掛アーム２０の幅方向の端部に近い第一操作レバー部６７は、チェア本体１０とは反対側に延出することとなる。これにより、チェア本体１０に着座した使用者からは第一操作レバー部６７を操作しにくく、他のスタッフ等は、チェア装置の外側から第一操作レバー部６７を容易に操作することができる。したがって、使用者の誤操作によって肘掛アーム２０が不用意に回動するのを、より確実に防ぐことができる。
【００６２】
また、操作部６０は、肘掛アーム２０の幅方向の他方の側に配置されたヒンジバネ６４を中心として上下方向に回動することによって、ロック部５０による肘掛アーム２０の拘束・非拘束を切り替える。
これにより、肘掛アーム２０の幅方向一方の側Ｓ１に延出した第一操作レバー部６７は、他方の側Ｓ２の回動中心から離れているので、モーメントが大きく、軽い操作力で第一操作レバー部６７を操作することができる。
これに対し、他方の側に第二操作レバー部６８を備える場合、第二操作レバー部６８は第一操作レバー部６７よりも回動中心に近いため、モーメントが小さく、第一操作レバー部６７を操作する場合よりも大きな操作力で操作する必要がある。
したがって、スタッフ等は、チェア装置の外側から第一操作レバー部６７を軽い力で容易に操作することができる。これに対し、チェア本体１０に着座した使用者側からは、第二操作レバー部６８を操作することで、操作自体は行えるものの、操作には第一操作レバー部６７よりも大きな力が必要となる。したがって、使用者の誤操作によって肘掛アーム２０が不用意に回動するのを防ぐことができる。
【００６３】
また、第一操作レバー部６７は、上面が、水平、または基部６６から第一操作レバー部６７の先端部６７ａに向けて漸次下方に傾斜している。
これにより、肘掛アーム２０から液体が流れ落ちた場合、第一操作レバー部６７の上面に付着した液体が、先端部側に容易に流れ落ちる。
【００６４】
（その他の実施形態）
なお、本発明は、図面を参照して説明した上述の実施形態に限定されるものではなく、その技術的範囲において様々な変形例が考えられる。
例えば、チェア本体１０の構成については何ら限定するものではなく、他のいかなる構成としてもよい。
また、チェア本体１０の用途については、何ら限定するものではなく、透析以外の用途のものであってもよい。さらに、チェアベッド１は、使用者を着座状態とするチェア機能をメインとしてもよいし、使用者を横臥状態とするベッド機能をメインとしていてもよい。
さらに、肘掛アーム２０の横方向の回動を拘束・非拘束に切り替えるための構成については、上記したものに限らず、同様の機能を発揮できるのであれば、適宜構成を採用してもよい。
これ以外にも、本発明の主旨を逸脱しない限り、上記実施の形態で挙げた構成を取捨選択したり、他の構成に適宜変更したりすることが可能である。
【符号の説明】
【００６５】
１  チェアベッド（チェア装置）
１０  チェア本体
１２  座部
２０  肘掛アーム
２０ｆ  肘当て面
３３  支持軸
３３ｂ  軸部
３６  係合凹部
４０  メインフレーム
４１  上部プレート
４２  下部プレート
４７Ａ，４７Ｂ  貫通孔
４８  ガイド金具
４８ｈ  ガイド孔
４９  開口部
５０  ロック部
６０  操作部
６１  操作部材
６３  係合ピン
６４  ヒンジバネ
６４ｃ  連結部
６５  レバー部材
６６  基部
６７  第一操作レバー部（操作レバー部）
６７ａ，６８ａ  先端部
６７ｆ，６８ｆ  上面
６８  第二操作レバー部（他のレバー部）
６８ａ  先端部
Ａ  肘掛装置
【図１】
2015080568.tif 000003
【図２】
2015080568.tif 000004
【図３】
2015080568.tif 000005
【図４】
2015080568.tif 000006
【図５】
2015080568.tif 000007
【図６】
2015080568.tif 000008
【図７】
2015080568.tif 000009
【図８】
2015080568.tif 000010
【図９】
2015080568.tif 000011
【図１０】
2015080568.tif 000012
【図１１】
2015080568.tif 000013
【図１２】
2015080568.tif 000014
【図１３】
2015080568.tif 000015
【図１４】
2015080568.tif 000016
【図１５】
2015080568.tif 000017
【図１６】
2015080568.tif 000018